(57)【要約】【課題】内部にパウダーを容易に導入することができるパフを提供することである。【解決手段】本発明のパフは、所定方向に延びパウダーが通過可能な第１貫通孔が形成されたクッション材と、クッション材を収容し、かつ、開口及び微細孔が形成された袋体であって、開口は、クッション材よりも所定方向の一方側に位置する部分に形成され、微細孔は、パウダーを構成する粒子を通過させることができ、かつ、クッション材よりも所定方向の他方側に位置する部分の少なくとも一部に形成された袋体と、所定方向に延び、かつ、パウダーを通過させることができる管状部を含むガイド部材であって、管状部における所定方向の他方側の端部は、第１貫通孔内に位置するガイド部材と、管状部の所定方向の他方側の端部を密閉するようにガイド部材に取り付け可能な蓋と、を備え、ガイド部材が袋体に取り付けられることにより、所定方向から見たときに、第１貫通孔と開口とが重なる。【選択図】図３
2018198862.tif 000002
【特許請求の範囲】
【請求項１】
所定方向に延びパウダーが通過可能な第１貫通孔が形成されたクッション材と、
前記クッション材を収容し、かつ、開口及び微細孔が形成された袋体であって、前記開口は、前記袋体における前記クッション材よりも前記所定方向の一方側に位置する部分に形成され、前記微細孔は、前記パウダーを構成する粒子を通過させることができ、かつ、前記袋体における前記クッション材よりも前記所定方向の他方側に位置する部分の少なくとも一部に形成された袋体と、
前記所定方向に延びる軸を有し、かつ、前記パウダーを通過させることができる管状部を含むガイド部材であって、前記管状部における前記所定方向の他方側の端部は、前記第１貫通孔内に位置するガイド部材と、
前記管状部の前記所定方向の他方側の端部を密閉するように前記ガイド部材に取り付け可能な蓋と、
を備え、
前記ガイド部材が前記袋体に取り付けられることにより、前記所定方向から見たときに、前記第１貫通孔と前記開口とが重なる、
パフ。
【請求項２】
前記ガイド部材は、前記管状部内に設けられ、前記所定方向に交差する主面を有する板状部材を、さらに含み、
前記板状部材には、前記パウダーが通過可能な少なくとも１以上の第２貫通孔が形成された、
請求項１に記載のパフ。
【請求項３】
前記管状部の外周面に対して、前記袋体における前記開口の縁部が密接しており、
前記開口の縁部より前記所定方向の他方側において、前記管状部の外周面に対して、前記第１貫通孔の内周面が密接している、
請求項１又は請求項２に記載のパフ。
【請求項４】
前記蓋に取り付けられた取っ手を、
さらに備えた、
請求項１から請求項３のいずれかに記載のパフ。
【請求項５】
前記管状部の内周面が、略円筒形を有し、
前記管状部が、前記内周面に設けられた内ネジを含み、
前記蓋が、前記内ネジに対応する外ネジを含む、
請求項１から請求項４のいずれかに記載のパフ。
【発明の詳細な説明】
【技術分野】
【０００１】
本発明は、パウダーを塗布するために用いるパフに関し、特に、化粧用のパフに関する。
【背景技術】
【０００２】
化粧用のパフとして、化粧用パウダー（以下、単に、パウダーと呼ぶ）を内部に収容して用いるパフがある。このようなパフは、特許文献１に開示されている。このパフは、開口が形成されたパフ本体と、パフ本体内に収容された板状スポンジとを備えている。パフ本体には、開口を閉塞可能な蓋部が設けられている。パフ本体には、パウダーを構成する粒子を通過させることが可能な微細孔が形成されている。板状スポンジには、パフ本体の開口とほぼ対面する位置に、パウダー充填孔が形成されている。パウダー充填孔は、板状スポンジを厚さ方向に貫通する。パウダー充填孔には、スポンジ栓が嵌め込まれる。
【０００３】
パウダーをパフの内部に導入する際は、パフ本体の蓋部を開け、板状スポンジのパウダー充填孔に嵌め込まれたスポンジ栓を抜き取る。そして、パフ本体の開口を介してパウダー充填孔内にパウダーを導入する。パウダーは、パウダー充填孔を通過してパフ本体において開口とは反対側の領域に移動する。その後、パウダー充填孔にスポンジ栓を嵌め込み、蓋部によりパフ本体の開口を閉塞する。この状態のパフにおいて、開口とは反対側の部分を肌に当てることにより、パフ内のパウダーを肌に塗布することができる。
【先行技術文献】
【特許文献】
【０００４】
【特許文献１】実用新案登録第３１９０３６７号
【発明の概要】
【発明が解決しようとする課題】
【０００５】
ところで、このパフでは、板状スポンジがパフ本体に固定されていない。すなわち、板状スポンジとパフ本体との位置関係が変化しうる。このため、パウダー導入時に、板状スポンジに垂直な方向から見て、パフ本体の開口とパウダー充填孔とが重なる部分の面積が十分に大きくならないことがあった。この場合、パウダー充填孔内にパウダーを導入することは困難である。
【０００６】
そこで、本発明の目的は、内部にパウダーを容易に導入することができるパフを提供することである。
【課題を解決するための手段】
【０００７】
本発明の一形態のパフは、
所定方向に延びパウダーが通過可能な第１貫通孔が形成されたクッション材と、
前記クッション材を収容し、かつ、開口及び微細孔が形成された袋体であって、前記開口は、前記袋体における前記クッション材よりも前記所定方向の一方側に位置する部分に形成され、前記微細孔は、前記パウダーを構成する粒子を通過させることができ、かつ、前記袋体における前記クッション材よりも前記所定方向の他方側に位置する部分の少なくとも一部に形成された袋体と、
前記所定方向に延びる軸を有し、かつ、前記パウダーを通過させることができる管状部を含むガイド部材であって、前記管状部における前記所定方向の他方側の端部は、前記第１貫通孔内に位置するガイド部材と、
前記管状部の前記所定方向の他方側の端部を密閉するように前記ガイド部材に取り付け可能な蓋と、
を備え、
前記ガイド部材が前記袋体に取り付けられることにより、前記所定方向から見たときに、前記第１貫通孔と前記開口とが重なる。
【発明の効果】
【０００８】
本発明によれば、パフの内部にパウダーを容易に導入することができる。
【図面の簡単な説明】
【０００９】
【図１】本発明の一実施形態に係るパフ１の斜視図であって、パフ１を組み立てた状態を示す。
【図２】図１に示すパフ１の分解斜視図である。
【図３】図１に示すパフ１の断面図である。
【発明を実施するための形態】
【００１０】
以下に、本発明の一実施形態に係るパフについて、図１〜図３を参照しながら説明する。図１は、本発明の一実施形態に係るパフ１の斜視図であって、パフ１を組み立てた状態を示す。図２は、パフ１の分解斜視図である。図３は、パフ１の断面図である。パフ１は、塗布すべきパウダーを内部に収容することができる。
【００１１】
（パフを構成する部材）
パフ１は、図２に示すように、袋体２、クッション材３、ガイド部材４、及び蓋５を備えている。組み立てた状態のパフ１では、外観上、袋体２はパフ１の主たる部分をなし、後述する蓋５に設けられた取っ手１１が袋体２から突出している（図１参照）。この状態のパフ１の形状は、回転体状である。回転体状であるパフ１の中心軸Ｃ（図３参照）に沿う方向を、便宜上上下方向（所定方向）と定義する。上下方向は、一例である。したがって、パフ１の上下方向は、図１等における上下方向と異なっていてもよい。
【００１２】
ガイド部材４は、管状部６、底部７、及びフランジ８を含む。ガイド部材４は樹脂からなる。管状部６、底部７、及びフランジ８は、一体に形成されている。
管状部６は、上下方向に延びる軸を有する円筒形状を有する。管状部６は、パウダーを通過させることができる。管状部６は、その内周面の上端近傍に設けられた内ネジ６ａを含む。
【００１３】
底部７は、管状部６の下端に設けられている。本明細書では、「管状部６の下端」は、管状部６内に含まれるものとする。底部７の形状は、円板状である。底部７は、上下方向に対して交差する主面を有する。主面は、より詳細には、上下方向にほぼ直交する。底部７には、底部７をその厚さ方向に貫通する複数の第２貫通孔７ａが形成されている。パウダーは、第２貫通孔７ａを通過することができる。上下方向から見て、各第２貫通孔７ａの形状は、円形状である。管状部６及び底部７は、底を有する円筒状の容器を構成する。
【００１４】
フランジ８は、管状部６の外周面から外方に突出するように設けられている。フランジ８は、管状部６の上端と下端との間、より詳細には、管状部６の上下方向の中央近傍に位置する。フランジ８の上面には、複数の円錐形の突起（図示せず）が、フランジ８の円周方向に沿ってほぼ等間隔に設けられている。
【００１５】
蓋５は、管状部９、上面部１０、及び取っ手１１を含む。蓋５は樹脂からなる。管状部９、上面部１０、及び取っ手１１は、一体に形成されている。
【００１６】
管状部９は、上下方向に延びる軸を有する円筒形状を有する。管状部９は、その外周面に設けられた外ネジ９ａを含む。外ネジ９ａは、管状部６の内ネジ６ａに対応する。上面部１０は、管状部９の上端に設けられている。上下方向から見て、上面部１０の輪郭形状は、円形状である。上下方向から見て、上面部１０の外周部は、管状部９の外周部から突出してフランジを構成している。取っ手１１は、上面部１０の中央部から上方に突出している。上面部１０及び取っ手１１により、管状部１０の上端開口は閉じられている。
【００１７】
クッション材３は、スポンジからなる。クッション材３の形状は、円板状である。上下方向から見て、クッション材３の輪郭形状は、円形状である。クッション材３の中心部には、貫通孔（第１貫通孔）３ａが形成されている。上下方向から見て、第１貫通孔３ａの形状は円形状である。すなわち、第１貫通孔３ａの内周面は、略円筒形を有する。第１貫通孔３ａの径は、管状部６の外径にほぼ等しい。クッション材３及び第１貫通孔３ａの中心軸は、中心軸Ｃとほぼ一致する。
【００１８】
袋体２には、開口２ａが形成されている。開口２ａは、袋体２において、クッション材３よりも上方（所定方向の一方側）に位置する部分（上面）に形成されている。袋体２には、開口２ａの縁部に沿って、リング状のゴム２ｂが取り付けられている（図２参照）。
【００１９】
袋体２は、布帛２ｃ、及び複数本のパイル（毛）２ｄを含む（図３参照）。布帛２ｃは、袋体２とほぼ同じ大きさ及び形状を有する袋状である。布帛２ｃには、パウダーを構成する粒子を通過させることができる無数の微細孔（図示せず）が一様に形成されている。微細孔は、必ずしも、布帛２ｃの全体に渡って形成されている必要はなく、袋体２において、クッション材３よりも下方（所定方向の他方側）に位置する部分の少なくとも一部に形成されていればよい。パイル２ｄは、布帛２ｃの外面に密に取り付けられている。
【００２０】
（パフの構造）
ガイド部材４は、クッション材３に取り付けられている。具体的には、フランジ８はクッション材３の上面に当接している。これにより、ガイド部材４の管状部６においてフランジ８より下の部分（以下、下管状部と呼ぶ。）は、クッション材３の第１貫通孔３ａ内に挿入されている。すなわち、下管状部は第１貫通孔３ａ内に位置している。底部７は、パフ１内において底部７より下の空間と底部７より上の空間とを仕切っている。下管状部の上下方向の長さは、第１貫通孔３ａの上下方向の長さより短い。このため、第１貫通孔３ａの下部には、管状部６が存在しない部分がある。
【００２１】
第１貫通孔３ａの径が管状部６の外径にほぼ等しいことにより、下管状部の外周面は、第１貫通孔３ａの内周面に密接している。これにより、第１貫通孔３ａは、ガイド部材４に対して位置決めされている。ただし、ガイド部材４は、クッション材３には固着されておらず、第１貫通孔３ａに対して着脱自在である。
【００２２】
クッション材３、並びにガイド部材４においてフランジ８及びフランジ８より下の部分は、袋体２内に収容されている。クッション材３は袋体２には固着されていない。クッション材３の外縁角部は、袋体２に接触している。これにより、袋体２の形状は、大略的に円板状に保たれている。
【００２３】
開口２ａの縁部に取り付けられたゴム２ｂの弾性力により、袋体２において開口２ａの縁部は、管状部６の外周面に密接している。この状態で、フランジ８に設けられた突起は、袋体２において開口２ａの縁部に刺さっている。すなわち、ゴム２ｂ及び突起は、ガイド部材４を袋体２に取り付けるための手段である。このようにして、開口２ａは、ガイド部材４に対して位置決めされている。ただし、ガイド部材４は、袋体２には固着されておらず、袋体２に対して着脱自在に取り付けられている。ガイド部材４において管状部６の上端は、開口２ａから露出している。
【００２４】
外ネジ９ａを内ネジ６ａに締め付けることにより、蓋５は、ガイド部材４に対して着脱自在に取り付けられている。操作者は、この着脱を、取っ手１１を操作することにより行うことができる。外ネジ９ａが、内ネジ６ａに締め付けられることにより、上面部１０は管状部６の上端に当接し、管状部６の上端開口は密閉される。
【００２５】
（パフの使用方法）
このパフ１は、内部にパウダーを収容して用いることができる。使用者は、取っ手１１を持ち、袋体２の下面（蓋５とは反対側の部分）を肌に押し当てる。これにより、パウダーを構成する粒子は、袋体２を通過して肌に塗布される。袋体２内にクッション材３が設けられていること、及び第１貫通孔３ａの下部に管状部６が存在しない部分があることにより、袋体２の下部を肌に押し当てたときに、クッション材３の弾性力により、良好な触感が得られる。
【００２６】
パフ１内にパウダーを導入する際は、まず、パフ１を、蓋５がクッション材３の鉛直方向上方に位置するように配置する。次に、取っ手１１を操作して、蓋５をガイド部材４から外す。そして、管状部６の上端開口からパウダーを導入する。その後、取っ手１１を操作して、蓋５をガイド部材４に取り付けて、管状部６の上端開口を蓋５で密閉する。
【００２７】
（効果）
上述のように、下管状部が第１貫通孔３ａ内に位置するので、第１貫通孔３ａがガイド部材４に対して位置決めされる。また、ガイド部材４が袋体２に取り付けられるので、開口２ａがガイド部材４に対して位置決めされる。これにより、上下方向から見て、開口２ａと第１貫通孔３ａとは、互いに重なった状態からずれにくい。本明細書では、上下方向から見た開口２ａおよび第１貫通孔３ａについて「重なる」とは、完全に重なる（開口２ａの外縁と第１貫通孔３ａの外縁とが一致する）場合のみならず、部分的に重なる場合も含むものとする。
【００２８】
この状態の開口２ａ及び第１貫通孔３ａを介して、パフ１の内部にパウダーを容易に導入することができる。これにより、ガイド部材４において管状部６の上端開口縁部、及び袋体２において開口２ａの縁部がパウダーで汚れることが少ない。また、使用者は、ガイド部材４に対する蓋５の着脱を、蓋５の取っ手１１を持って行うことができるので、パフ袋体２に触れる機会を少なくすることができる。以上の理由により、使用者の手がパウダーで汚れることが少ない。
【００２９】
また、袋体２の開口２ａの縁部及びクッション材３の第１貫通孔３ａの内周面は、いずれも、ガイド部材４の管状部６の外周面に密接している。このため、上下方向から見て、開口２ａと第１貫通孔３ａとは、外縁が互いに一致するように重なる。換言すれば、第１貫通孔３ａと開口２ａとが重なる部分の面積は、最大になる。したがって、開口２ａ及び第１貫通孔３ａを介してパフ１の内部にパウダーを導入することが、極めて容易である。
【００３０】
次に、底部７が設けられていることにより得られる効果について説明する。管状部６内に導入されたパウダーの一部は、第２貫通孔７ａを通過する。また、残余のパウダーは、底部７上に堆積する。第２貫通孔７ａを通過したパウダーは、鉛直下方に落下し、第１貫通孔３ａの下方、及びクッション材３と袋体２との間に堆積する。これらの領域に堆積したパウダーは、使用者がパフ１を肌に当てた際、布帛２ｃの微細孔を通過して使用者の肌に塗布される。
【００３１】
底部７の上に堆積したパウダーは、使用者がパフ１を使用している際等に、順次、第２貫通孔７ａを通過する。すなわち、底部７の上に堆積したパウダーの全量が第２貫通孔７ａを通過するのに、ある程度長い時間を要する。これにより、第１貫通孔３ａ内の下部、及びクッション材３と袋体２との間に、過剰な量のパウダーが堆積しないようにすることができる。その結果、パフ１内のパウダーが短時間に多量に肌に塗布されることを抑制できる。このように、底部７が設けられていることにより、パフ１から肌へのパウダーの塗布量の変動を抑制できる。
【００３２】
クッション材３が袋体２に固着されていないことにより、クッション材３を袋体２の内部から取り出すことができる。これにより、袋体２をクッション材３とは別に洗浄することができる。この場合、袋体２の乾燥に要する時間を短くすることができる。
【００３３】
また、袋体２、クッション材３、ガイド部材４、及び蓋５が相互に固着されておらず、着脱可能であることから、たとえば、袋体２又はガイド部材４を、設計が異なる袋体２又はガイド部材４に交換することができる。たとえば、化粧の仕上がりに変化をつけたいときなど、材質やパイル２ｄの長さが異なる袋体２を用いることができる。
【００３４】
また、パウダーの種類により異なるガイド部材４を用いることができる。たとえば、貫通孔を通過しにくいパウダーを用いるときは、大きな第２貫通孔７ａや多くの第２貫通孔７ａが形成された底部７が備えられたガイド部材４を用いることができる。一方、貫通孔を通過しやすいパウダーを用いるときは、小さな第２貫通孔７ａや少ない第２貫通孔７ａが形成された底部７が備えられたガイド部材４を用いることができる。このように、底部７に形成された第２貫通孔７ａの大きさ及び数は、適宜変更することができる。
【００３５】
（変形例）
第２貫通孔７ａの形状は、上下方向から見て、円形状に限らず、多角形状、スリット状等、任意の形状とすることができる。底部７に複数の第２貫通孔７ａが形成されている場合、これらの第２貫通孔７ａの大きさは、互いに同じであってもよく、一部又はすべての第２貫通孔７ａについて異なっていてもよい。同様に、底部７に複数の第２貫通孔７ａが形成されている場合、これらの第２貫通孔７ａの形状は、互いに同じであってもよく、一部又はすべての第２貫通孔７ａについて異なっていてもよい。
【００３６】
上記の実施形態では、底部７は、管状部６の下端に設けられているが、管状部６内のいずれの位置に設けられていてもよい。ガイド部材４には、底部７が設けられていなくてもよい。
【００３７】
上記の実施形態では、蓋５は、内ネジ６ａ及び外ネジ９ａにより、すなわち、ネジ式でガイド部材４に取り付けられる。しかし、蓋５が管状部６の上端開口を密閉可能である限り、蓋５は、ネジ式以外の態様でガイド部材４に取り付けられてもよい。たとえば、蓋５及び管状部６の一方に設けられた突起が、蓋５及び管状部６の他方に設けられた凹所に係合することにより、蓋５がガイド部材４に取り付けられてもよい。この場合、管状部６の内周面は、円筒形以外の形状、たとえば、角筒形状を有してもよい。蓋５をガイド部材４に取り付け可能である限り、蓋５には、取っ手１１が設けられていなくてもよい。
【００３８】
上記の実施形態では、ガイド部材４は一体に形成されているが、管状部６、底部７、及びフランジ８の１つ以上は、別体として設けられていてもよい。同様に、上記の実施形態では、蓋５は一体に形成されているが、管状部９、上面部１０、及び取っ手１１の１つ以上は、別体として設けられていてもよい。
【００３９】
上記の実施形態では、袋体２の開口２ａの縁部及びクッション材３の第１貫通孔３ａの内周面がガイド部材４の管状部６の外周面に十分に密接している。しかし、開口２ａの縁部及び第１貫通孔３ａの内周面の少なくとも一方は、ガイド部材４の管状部６の外周面に十分に密接しなくてもよい。この場合でも、上下方向から見て、開口２ａと第１貫通孔３ａとは、少なくとも、管状部６が存在している部分で重なる。このように、ガイド部材４は、開口２ａと第１貫通孔３ａとが重なる部分の面積を十分に大きく確保する機能を有する。
その他、本発明の要旨の範囲内において、適宜変更することができる。
【符号の説明】
【００４０】
１：パフ
２：袋体
２ａ：開口
２ｂ：ゴム
２ｃ：布帛
２ｄ：パイル
３：クッション材
３ａ：第１貫通孔
４：ガイド部材
５：蓋
６：管状部
６ａ：内ネジ
７：底部
７ａ：第２貫通孔
８：フランジ
９：管状部
９ａ：外ネジ
１０：上面部
１１：取っ手
Ｃ：パフの中心軸
【図１】
2018198862.tif 000003
【図２】
2018198862.tif 000004
【図３】
2018198862.tif 000005